(57)【要約】【課題】電源がオフの状態でもレジューム情報を保持するとともに、保持されるレジューム情報に応じたレジューム再生機能を実現可能な「ディスク再生装置」を提供すること。【解決手段】ディスク再生装置は、電源の供給がある状態でレジューム再生に必要な情報を記憶する第１の記憶手段と、不揮発性メモリで構成されレジューム再生に必要な情報を記憶する第２の記憶手段と、ディスクの再生位置を検出し、再生位置からディスクを再生する制御手段とを有する。制御手段は、ディスク再生装置を停止する旨の指示を受けたとき第１の記憶手段に記録されているレジューム再生に必要な情報を第２の記憶手段に格納してディスクの再生を停止し、ディスク再生装置の電源供給が開始されたとき、第２の記憶手段に格納したレジューム再生に必要な情報を第１の記憶手段に転送し、ディスクを再生する指示を受信したとき、指示に応じたディスクの再生をする。【選択図】図２
2010250907.tif 000002
【特許請求の範囲】
【請求項１】
ディスクに記憶されている信号を読み取り、読み取った信号をデコードして再生するディスク再生装置であって、
電源の供給がある状態でレジューム再生に必要な情報を記憶する第１の記憶手段と、
不揮発性メモリで構成され前記レジューム再生に必要な情報を記憶する第２の記憶手段と、
ディスクの再生位置を検出し、再生位置から前記ディスクを再生する制御手段と、
を有し、
前記制御手段は、前記ディスク再生装置を停止する旨の指示を受けたとき前記第１の記憶手段に記録されている前記レジューム再生に必要な情報を前記第２の記憶手段に格納して前記ディスクの再生を停止し、前記ディスク再生装置の電源供給が開始されたとき、前記第２の記憶手段に格納した前記レジューム再生に必要な情報を前記第１の記憶手段に転送し、前記ディスクを再生する指示を受信したとき、当該指示に応じた前記ディスクの再生をすることを特徴とするディスク再生装置。
【請求項２】
前記レジューム再生に必要な情報は、ＴＯＣ情報及びファイルのディレクトリ構成を含むディスクの構成情報並びにディスクの再生位置情報であることを特徴とする請求項１に記載のディスク再生装置。
【請求項３】
前記制御手段は、前記ディスクを再生する際に、指示されたレジューム再生の方法に応じてレジューム再生を行うことを特徴とする請求項２に記載のディスク再生装置。
【請求項４】
前記制御手段は、前記ディスクを再生する際に、前記ディスクのＴＯＣ及びディスク解析を行わず、前記第２の記憶手段に格納されている前記レジューム再生に必要な情報のＴＯＣ情報及びディスク解析情報を用いて前記ディスクのレジューム再生を行うことを特徴とする請求項３に記載のディスク再生装置。
【請求項５】
前記制御手段は、前記ディスクを再生する際に、前記ディスクのＴＯＣ及びディスク解析を行い、前記第２の記憶手段に格納されているＴＯＣ情報及びディスク解析情報以外の前記レジューム再生に必要な情報を用いて前記ディスクのレジューム再生を行うことを特徴とする請求項３に記載のディスク再生装置。
【請求項６】
前記制御手段は、前記ディスクを再生する際に、前記ディスクのディスク解析を行い、前記第２の記憶手段に格納されているディスク解析情報以外の前記レジューム再生に必要な情報を用いて前記ディスクのレジューム再生を行うことを特徴とする請求項３に記載のディスク再生装置。
【発明の詳細な説明】
【技術分野】
【０００１】
本発明は、ディスクなどのランダムアクセスが可能な記録媒体に記録されたデータを再生中に中断し、その後再び中断した位置から再生を継続するレジューム機能を有したディスク再生装置に関する。
【背景技術】
【０００２】
ＣＤプレーヤーやＤＶＤプレーヤー等のディスク再生装置は、ディスクから音声や映像データを読み取って音声又は映像信号を生成しスピーカーやディスプレイに出力することでディスクに記録されているデータを再生している。
【０００３】
これらのディスク再生装置では、特許文献１に記載されているように、再生を停止した後、その再生停止位置から音声や映像の再生を行う、いわゆるレジューム機能を有するものがある。
【０００４】
このレジューム機能では、停止したときの時間情報やトラック情報等をバックアップ用のメモリに記憶しておき、再生するときにメモリに記憶された情報を参照して前回の続きの位置から再生するようにしている。
【先行技術文献】
【特許文献】
【０００５】
【特許文献１】特公平０７−０８２７４０号公報
【発明の概要】
【発明が解決しようとする課題】
【０００６】
近年、上述したようなディスク再生装置は車両にも搭載されるようになってきており、車室内で所望の音楽や映像を視聴することができるようになっている。
【０００７】
このようなディスク再生装置を車両に搭載している場合、ＣＤプレーヤーでは、再生途中に停止させたときには、その停止位置等の情報をメモリ（揮発性）に格納し、レジューム再生が可能になるようにしている。通常のＣＤプレーヤーでは、車両のＡＣＣをオフにした場合であっても、常時、メモリに電源を供給しているため、揮発性メモリであってもレジューム機能を実現することに問題はなかった。
【０００８】
しかし、車両ＡＣＣオフ時に消費電流をゼロにすることが要求されてきており、電源供給がない状態であってもレジューム機能を実現するための情報を保存する必要がある。
【０００９】
電源供給がない状態であってもこのような情報を不揮発性メモリに保持することにより、レジューム機能を実現することが可能である。しかし、電源がいつオフになるか不明であるため、レジューム情報を失うことのないように記録領域を２つ分持つ、いわゆるダブルバッファ構造をしている。ダブルバッファ構造では、２つの記憶領域を用意して、データの書き込みを交互に行うようになっている。そのため、一方の記憶領域への書き込み途中で電源がオフになった場合でも他方の記憶領域の情報を用いることによりレジューム機能を実現しているが、部品コストが増加してしまう。
【００１０】
また、レジューム機能を実現するための情報を不揮発性メモリに記録する際に電源がオフになった場合、正常に情報が記録されず、レジューム再生ができないことも起こり得る。
【００１１】
本発明は、かかる従来技術の課題に鑑みなされたものであり、簡易なメモリ構成の変更によって、装置の電源がオフの状態でもレジューム情報を保持するとともに、保持されるレジューム情報に応じたレジューム再生機能を実現可能なディスク再生装置を提供することを目的とする。
【課題を解決するための手段】
【００１２】
上述した従来技術の課題を解決するため、本発明の基本形態によれば、ディスクに記憶されている信号を読み取り、読み取った信号をデコードして再生するディスク再生装置であって、電源の供給がある状態でレジューム再生に必要な情報を記憶する第１の記憶手段と、不揮発性メモリで構成され前記レジューム再生に必要な情報を記憶する第２の記憶手段と、ディスクの再生位置を検出し、再生位置から前記ディスクを再生する制御手段と、を有し、前記制御手段は、前記ディスク再生装置を停止する旨の指示を受けたとき前記第１の記憶手段に記録されている前記レジューム再生に必要な情報を前記第２の記憶手段に格納して前記ディスクの再生を停止し、前記ディスク再生装置の電源供給が開始されたとき、前記第２の記憶手段に格納した前記レジューム再生に必要な情報を前記第１の記憶手段に転送し、前記ディスクを再生する指示を受信したとき、当該指示に応じた前記ディスクの再生をすることを特徴とするディスク再生装置が提供される。
【００１３】
この形態に係るディスク再生装置において、前記制御手段は、前記ディスクを再生する際に、前記ディスクのＴＯＣ及びディスク解析を行わず、前記第２の記憶手段に格納されている前記レジューム再生に必要な情報のＴＯＣ情報及びディスク解析情報を用いて前記ディスクのレジューム再生を行うようにしてもよく、前記制御手段は、前記ディスクを再生する際に、前記ディスクのＴＯＣ及びディスク解析を行い、前記第２の記憶手段に格納されているＴＯＣ情報及びディスク解析情報以外の前記レジューム再生に必要な情報を用いて前記ディスクのレジューム再生を行うようにしてもよく、前記制御手段は、前記ディスクを再生する際に、前記ディスクのディスク解析を行い、前記第２の記憶手段に格納されているディスク解析情報以外の前記レジューム再生に必要な情報を用いて前記ディスクのレジューム再生を行うようにしてもよい。
【発明の効果】
【００１４】
本発明のディスク再生装置によれば、従来の揮発性メモリを用いてレジューム再生機能を実現していたシステムに不揮発性メモリを追加している。そして、ディスク再生装置を停止する指示を受け付けたとき、揮発性メモリに保持していたレジューム再生に必要な情報を不揮発性メモリに記録している。これにより、電源供給がオフのときにもレジューム再生に必要な情報が消去されることなく、レジューム再生機能を実現することが可能となる。
【００１５】
また、ディスク再生装置を停止する指示を受けた時点でレジューム再生に必要な情報を保持することにより、任意の位置にレジューム再生位置を設定することが可能となる。
【００１６】
さらに、レジューム再生の際に、ディスクのＴＯＣやディレクトリ構造等のディスク解析を行う場合と、これらの解析を行わずにメモリに保持した情報を使用する場合等の複数のレジューム再生方法を用意している。これにより、メモリへの保持が不備であった場合にも、レジューム再生を実施することが可能となる。
【図面の簡単な説明】
【００１７】
【図１】本発明の一実施形態に係るディスク再生装置の構成を示すブロック図である。
【図２】図１におけるディスク再生装置のうちのメモリの構成を示すブロック図である。
【図３】レジューム再生に必要な情報であるＰＰＭ情報及びＭＰＭ情報の一例を示す図である。
【図４】図１のディスク再生装置において行うＰＰＭ情報記録処理の一例を示すフローチャートである。
【図５】ＰＰＭ情報記録処理を説明する図である。
【図６】図１のディスク再生装置において行うレジューム再生処理の一例を示すフローチャートである。
【図７】レジューム再生処理を説明する図である。
【発明を実施するための形態】
【００１８】
以下、本発明の実施形態について、添付の図面を参照して説明する。
【００１９】
図１は、本発明の一実施形態に係るディスク再生装置１００のブロック構成図を示している。
【００２０】
本実施形態に係るディスク再生装置１００は、基本的には、ディスク１を駆動させるディスク駆動部（スピンドルモータ）２と、ディスクの情報を読み取って出力するディスク情報読取り部３と、操作部４と、これらディスク駆動部２、ディスク情報読取り部３及び操作部４を制御する制御部５で構成されている。
【００２１】
スピンドルモータ２は、サーボ制御部１４の制御下でディスク１を所定の回転数で回転させる。
【００２２】
ディスク情報読取り部３は、ピックアップ６、ＲＦアンプ７、デジタル信号処理部８、ＲＡＭ９、デコーダ１０、ＲＡＭ１１及び出力部１２で構成されている。
【００２３】
ピックアップ６は、ディスク１にレーザービームを照射し、ディスク１から反射される反射光量に該当する記録された信号をピックアップして、ＲＦアンプ７に出力する。ＲＦアンプ７は、入力した信号を増幅してデジタル信号処理部８に出力する。デジタル信号処理部８では、ピックアップ６で読み取った再生信号のノイズや歪み等の除去処理と施して、符号化データを生成する。
【００２４】
デコーダ１０は、デジタル信号処理部８で信号処理された符号化データを復号化する。デコーダ１０に接続されているＲＡＭ１１は、デコード処理されたデータを一時的に保存するためのメモリである。また、ＲＡＭ１１には、後述するようにレジューム情報を記録する領域が割り当てられており、レジューム再生に必要な情報が保持される。復号化されたデータの信号は、出力部１２でＤ／Ａ変換されて、音声や映像が出力される。
【００２５】
スレッドモータ１３は、ピックアップ６をディスク１の外周と内周間で直線的に移動させるスクリューガイドを回転させる。スクリューガイドを一方の方向に回転させると、ピックアップ６は例えばディスク１の内周側に移動し、他方の方向に回転させると、ピックアップ６はディスク１の外周側に移動する。
【００２６】
操作部４は、ユーザが行う入力操作を受け付ける。例えば、ディスクのレジューム再生の方法に応じたコマンドが入力される。また、ディスク１の再生途中で装置を停止する旨の指示を入力することにより、レジューム再生の位置を指定する。
【００２７】
制御部５は、マイコン１５とサーボ制御部１４で構成されている。また、マイコン１５は不揮発性メモリ１６及びＲＡＭ１７を有している。
【００２８】
サーボ制御部１４は、マイコン１５からの指示に従って動作し、スピンドルモータ２の制御、スレッドモータ１３の制御、ピックアップ６の制御を行う。
【００２９】
不揮発性メモリ１６には、後述するように、装置の電源がオフされる毎に、レジューム再生に必要なＰＰＭ情報が記録される。ＲＡＭ１７には、レジュームの情報を記録する領域が割り当てられており、レジューム再生に必要な情報が保持される。
【００３０】
次に、図２及び図３を用いて、ディスク再生装置１００のレジューム再生に関する情報の処理について説明する。図２は、図１のディスク再生装置１００におけるメモリ部分の構成を示した図である。また、図３は、レジューム再生に必要な情報（ＰＰＭ情報及びＭＰＭ情報）の一例を示した図である。
【００３１】
ディスク再生装置１００のメモリは、揮発性メモリを用いた従来の第１のメモリ２１（第１の記憶手段）と、不揮発性メモリを使用した第２のメモリ２２（第２の記憶手段）で構成されている。第１のメモリ２１は、デコーダＲＡＭ２３とＭＣＵ−ＲＡＭ２５で構成されており、デコーダＲＡＭ２３にはレジューム情報記録領域２４が割り当てられている。このレジューム情報記録領域２４には、再生位置情報及びディスク構成情報が保持される。
【００３２】
図３（ａ）に示すように、再生位置(Last Position Play)情報は、再生情報、タグ情報及びＭｉｘ再生履歴が保持されている。再生情報は、データ位置を表現する時間情報ＭＳＦ（Ｍ＝分、Ｓ＝秒、Ｆ＝フレーム）、トラック及びファイル番号が含まれている。タグ情報は、再生中のファイル名や楽曲のジャンル等の情報が含まれている。
【００３３】
ディスク構成情報は、デコーダ内のＲＡＭに保持しているディスク構成情報であり、各フォルダやファイルのディスク上の記録位置、各フォルダやファイルのサイズ、フォルダやファイルの詳細情報が含まれている。
【００３４】
また、ＭＣＵ−ＲＡＭ２５には、ＰＰＭ情報記録領域２６とレジューム情報記録領域２７が割り当てられている。ＰＰＭ情報記録領域２６は、第２のメモリ２２に記録するレジューム再生に必要な情報が一時的に保持される。例えば、再生している曲の情報（ファイル名やフォルダ名等）が保持される。また、レジューム情報記録領域２７には、再生している曲の情報を含むディスク構成情報が保持される。
【００３５】
図３（ａ）に示すように、ディスク構成情報は、ＴＯＣ(Table Of Contents)情報、セッション情報及びフォルダ／ファイル構成を含んでいる。ＴＯＣ情報は、ディスクのセッションのリードイン領域に記録されており、トラック開始時間が保持されている。セッション情報には、セッション数、セッション開始時間及び各セッションのリードアウト時間が保持されている。また、フォルダ／ファイル構成には、フォルダ内のファイル数やファイルの種別、全ファイル数、全フォルダ数が保持されている。
【００３６】
一方、第２のメモリ２２は、不揮発性メモリ（ＥＥＰＲＯＭ）２８で構成され、ＰＰＭ情報記録領域２９及びＭＰＭ情報記録領域３０が割り当てられている。ＰＰＭ情報記録領域２９には、レジューム再生に必要な情報が記録され、ＭＰＭ情報記録領域３０には、レジューム再生に必要なメカの状態を示す情報が記録される。
【００３７】
ＰＰＭ情報記録領域２９には、装置が停止する指示を受けた時点で第１のメモリ２１からレジューム再生に必要な情報が転送されて記録される。また、ＭＰＭ情報は、図３（ｂ）及び（ｃ）に示すような、レジューム再生に必要なメカの状態を示す情報である。
【００３８】
図３（ｂ）は、メカが複数のディスクを扱うチェンジャーメカの場合であり、各トレイにディスクがあるかないか、また、現在のトレイのディスク番号の情報が含まれる。
【００３９】
また、図３（ｃ）は、一枚のディスクを扱うシングルメカの場合であり、ディスクのサイズ情報などが含まれる。
【００４０】
このように構成されたディスク再生装置１００において、制御部５はディスクの再生中にシステムオフのコマンド（装置を停止する旨のコマンド）を受信すると、そのときに演奏されている楽曲のディスクの位置情報などを一時的に保存しているデコーダＲＡＭ２３及びＭＣＵ-ＲＡＭ２５からレジューム再生に必要な情報を抽出して不揮発性メモリ２８に保存する。再び、ディスク再生装置１００に電源が投入されたことを検知したとき、不揮発性メモリ２８に保存しておいてレジューム再生に必要な情報をデコーダＲＡＭ２３及びＭＣＵ-ＲＡＭ２５に転送し、レジューム再生を実施する。このとき、ＴＯＣやディスクの解析をディスクから行うか否か等で異なるレジューム再生の方法を指定可能とし、指定された方法によるレジューム再生を実施する。
【００４１】
以下に、ディスク再生装置１００におけるレジューム再生機能について説明する。まず、レジュームに必要な情報（ＰＰＭ情報）の記録機能について説明し、次に、ＰＰＭ情報の読み込み機能、及びレジューム再生コマンドについて説明する。
【００４２】
以下に、図４のフローチャートを参照して、ディスク再生装置１００におけるＰＰＭ情報の記録処理について説明する。
【００４３】
まず、ステップＳ１１において、ディスク解析を行う。ディスク解析では、ディレクトリ情報やＴＯＣ情報の解析を行う。ディレクトリ情報とは、ディスク上でどのようなディレクトリがどのような階層構造をしているかの情報や、ファイルがどのディレクトリに属しディスクのどの位置（アドレス）にあるかを示すファイル位置情報である。また、ＴＯＣ情報とは、ディスクのトラック総数や、トラック開始位置の情報である。
【００４４】
次のステップＳ１２において、ステップＳ１１で解析した、ＴＯＣ情報やセッション情報、フォルダ／ファイル構成の情報をＭＣＵ-ＲＡＭ２５のレジューム情報記録領域２７に格納する。
【００４５】
次のステップＳ１３において、ステップＳ１１で解析した、再生情報やタグ情報の最終位置(Last Position Play)情報及びディレクトリ情報等をデコーダＲＡＭ２３のレジューム情報記録領域２４に格納する。
【００４６】
次のステップＳ１４において、ディスクを再生する。
【００４７】
次のステップＳ１５において、システムオフコマンドを受信する。システムオフコマンドは、操作部４を介してユーザから入力される。制御部５は、受信したコマンドを解析し、システムオフコマンドであることを判定する。
【００４８】
次のステップＳ１６において、不揮発性メモリ２８にＰＰＭ情報を記録する。図５（ａ）及び（ｂ）は、不揮発性メモリ２８へのＰＰＭ情報の転送の概要を示している。まず、図５（ａ）に示すように、ＭＣＵ−ＲＡＭ２５のレジューム情報記録領域２７に格納されているＰＰＭ情報をＭＣＵ−ＲＡＭ２５のＰＰＭ情報記録領域２６に転送する。また、デコーダＲＡＭ２３のレジューム情報記録領域２４に格納されているＰＰＭ情報をＭＣＵ−ＲＡＭ２５のＰＰＭ情報記録領域２６に転送する。その後、図５（ｂ）に示すように、ＭＣＵ−ＲＡＭ２５のＰＰＭ情報記録領域２６内のＰＰＭ情報を不揮発性メモリ２８のＰＰＭ情報記録領域２９に転送する。
【００４９】
以上の処理によって、システムオフのコマンドを受信した時点におけるレジューム再生に必要なＰＰＭ情報が、不揮発性メモリ２８に保持される。この情報は、車両のＡＣＣがオフになり、ディスク再生装置１００に電源が供給されなくなった場合でも消去されることなく保持される。また、システムオフコマンドを受信したときだけＰＰＭ情報が保持されるため、メモリの領域も１つのレジューム情報の量だけで済むことになる。
【００５０】
次に、図６のフローチャートを参照して、ディスク再生装置１００におけるレジューム再生処理について説明する。
【００５１】
まず、ステップＳ２１において、ディスク再生装置１００に電源が供給されたことを検出する。車両のＡＣＣがオンになったことにより検出する。
【００５２】
次のステップＳ２２において、不揮発性メモリ２８に格納されているＰＰＭ情報をＭＣＵ−ＲＡＭ２５のＰＰＭ情報記録領域２６へ転送する。不揮発性メモリ２８のＰＰＭ情報記録領域２９には、デコーダＲＡＭ２３に格納するＰＰＭ情報とＭＣＵ-ＲＡＭ２５に格納するＰＰＭ情報とが区別された状態で格納されており、同じ構成でＭＣＵ−ＲＡＭ２５のＰＰＭ情報記録領域２６へ転送する。
【００５３】
次のステップＳ２３において、レジューム再生コマンドを取得する。操作部４を介して、ユーザからどのような方法でレジューム再生を行うかが指定される。レジューム再生を行う際のレジューム再生コマンドとして、レジュームの記録内容（フォルダ情報、ファイル情報等のディスク構成等）に応じて４種類のコマンドが用意されている。ディスク再生装置によっては、不揮発性メモリ２８に格納されるレジューム再生情報の内容が異なる場合もあり得る。また、不揮発性メモリ２８へのレジューム再生情報の記録が失敗するなど不具合が発生する可能性もある。このような場合、複数のレジューム再生方法を用意しておくことにより、レジューム再生を確実に実施できるようにしている。
【００５４】
（１）Ｎｏｒｍａｌ  Ｐｌａｙコマンド
このコマンドでは、第１のメモリ２１にレジューム情報がある場合にはレジューム再生を実施し、ない場合にはＴＯＣ  Ｒｅａｄを実施した後、先頭から再生する。
【００５５】
（２）ＰＰＭ  Ｐｌａｙ  Ｗｉｔｈｏｕｔ  ＴＯＣ  Ｒｅａｄコマンド
このコマンドは、ＴＯＣ情報、ディスク構成及びレジューム再生位置をレジューム情報として記録している場合に実行可能なコマンドである。このコマンドが指示されると、ディスクのＴＯＣ  Ｒｅａｄとディスク解析は実施せず、不揮発性メモリ２８に格納されたＰＰＭ情報のみを用いてレジューム再生を実施する。
【００５６】
このコマンドによるレジューム再生の実施では、レジューム再生に必要なＰＰＭ情報量が多く、ＰＰＭ情報を不揮発性メモリ２８からデコーダＲＡＭ２３及びＭＣＵ-ＲＡＭ２５のレジューム情報記録領域２４，２７に記録するまでに要する時間はかかるが、レジューム再生開始までに必要な時間が短縮される。
【００５７】
（３）ＰＰＭ  Ｐｌａｙ  Ｗｉｔｈ  ＴＯＣ  Ｒｅａｄコマンド
レジューム再生位置を記録している場合に実行可能なコマンドである。このコマンドが指示されると、ディスクのＴＯＣ  Ｒｅａｄとディスク解析を実施した後、不揮発性メモリ２８に格納されたＴＯＣ情報及びディスク解析情報以外のＰＰＭ情報を用いてレジューム再生を実施する。
【００５８】
このコマンドによるレジューム再生の実施では、レジューム再生に必要なＰＰＭ情報量は少なく、ＰＰＭ情報を不揮発性メモリ２８からデコーダＲＡＭ２３及びＭＣＵ-ＲＡＭ２５のレジューム情報記録領域２４，２７に記録するまでに要する時間は短いが、レジューム再生開始までに必要な時間がかかる。
【００５９】
（４）ＰＰＭ  Ｐｌａｙ  Ｗｉｔｈ  Ｄｉｓｃ  Ａｎａｌｙｓｉｓコマンド
レジューム再生位置及びＴＯＣ情報を記録している場合に実行可能なコマンドである。このコマンドが指示されると、ディスクのＴＯＣ  Ｒｅａｄは行わず、ディスク解析を実施した後、不揮発性メモリ２８に格納されたディスク解析情報以外のＰＰＭ情報を用いてレジューム再生を実施する。
【００６０】
このコマンドによるレジューム再生の実施では、レジューム再生に必要なＰＰＭ情報量は（２）と（３）の中間であり、ＰＰＭ情報を不揮発性メモリ２８からデコーダＲＡＭ２３及びＭＣＵ-ＲＡＭ２５のレジューム情報記録領域２４，２７に記録するまでに要する時間は（２）と（３）の中間である。
【００６１】
次に図６に戻り、ステップＳ２４において、レジューム再生コマンドに応じて、必要なＰＰＭ情報をデコーダＲＡＭ２３及びＭＣＵ-ＲＡＭ２５のレジューム情報記録領域２４，２７に展開する。図７（ａ）及び（ｂ）は、ＰＰＭ情報のレジューム情報記録領域への展開の概要を示している。まず、図７（ａ）はステップＳ２２に対応し、不揮発性メモリ２８のＰＰＭ情報記録領域２９からＭＣＵ−ＲＡＭ２５のＰＰＭ情報記録領域２６にレジューム再生に必要なＰＰＭ情報を転送した状態を示している。
【００６２】
次に図７（ｂ）に示すように、ＭＣＵ-ＲＡＭ２５のＰＰＭ情報記録領域２６からＰＰＭ情報ＰＰＭ  Ｉｎｆｏ（ＤＥＣ）をデコーダＲＡＭ２３のレジューム情報記録領域２４に格納し、ＭＣＵ−ＲＡＭ２５のＰＰＭ情報記録領域２６からＰＰＭ  Ｉｎｆｏ（ＭＣＵ）をＭＣＵ−ＲＡＭ２５のレジューム情報記録領域２７に格納する。
【００６３】
次のステップＳ２５において、レジューム再生コマンドに応じて、不揮発性メモリ２８のＰＰＭ情報記録領域２９に格納されていたＰＰＭ情報の他に必要なレジューム再生に必要な情報を取得する。例えば、レジューム再生コマンドが、ＴＯＣリードなしの場合には、不揮発性メモリ２８のＰＰＭ情報記録領域２９に格納されていたＰＰＭ情報だけを用いてレジューム再生を実施するので、他の情報を取得する必要はない。また、レジューム再生コマンドが、ＴＯＣリードありの場合には、ディスク１からＴＯＣ情報及びディスク解析を実行して、レジューム再生位置に関する情報を取得する。
【００６４】
次のステップＳ２６において、不揮発性メモリ２８のＭＰＭ情報記録領域３０に格納されたメカのレジューム再生に必要な情報も参照して、各コマンドに応じたレジューム再生を実施する。
【００６５】
以上、説明したように、本実施形態のディスク再生装置１００によれば、従来の揮発性メモリを用いてレジューム再生機能を実現していたシステムに不揮発性メモリを追加している。そして、ディスク再生装置を停止する指示を受け付けたとき、揮発性メモリに保持していたレジューム再生に必要な情報を不揮発性メモリに記録している。これにより、電源供給がオフのときにもレジューム再生に必要な情報が消去されることなく、レジューム再生機能を実現することが可能となる。
【００６６】
また、ディスク再生装置を停止する指示を受けた時点でレジューム再生に必要な情報を保持することにより、任意の位置にレジューム再生位置を設定することが可能となる。
【００６７】
さらに、レジューム再生の際に、ディスクのＴＯＣやディレクトリ構造等のディスク解析を行う場合と、これらの解析を行わずにメモリに保持した情報を使用する場合等の複数のレジューム再生方法を用意している。これにより、メモリへの保持が不備であった場合にも、レジューム再生を実施することが可能となる。
【符号の説明】
【００６８】
１…ディスク、
２…スピンドルモータ、
３…ディスク情報読取り部、
４…操作部、
５…制御部（制御手段）、
１１，２３…デコーダＲＡＭ、
１６，２８…ＥＥＰＲＯＭ（不揮発性メモリ）、
１７，２５…ＭＣＵ−ＲＡＭ、
２１…第１のメモリ（第１の記憶手段）、
２２…第２のメモリ（第２の記憶手段）、
２４，２７…レジューム情報記録領域、
２６，２９…ＰＰＭ情報記録領域、
１００…ディスク再生装置。
【図１】
2010250907.tif 000003
【図２】
2010250907.tif 000004
【図３】
2010250907.tif 000005
【図４】
2010250907.tif 000006
【図５】
2010250907.tif 000007
【図６】
2010250907.tif 000008
【図７】
2010250907.tif 000009